(57)【要約】【課題】記録装置にハンドル部を設けると、ハンドル部が筐体から突出し、記録装置が大型化してしまうという課題がある。【解決手段】用紙Ｐに記録する記録ヘッド１０４と、筐体４に対してスライド可能に備えられ、記録ヘッド１０４によって記録され、排出された用紙Ｐが載置される排出トレイ６と、を備え、排出トレイ６は、排出方向Ｄ１下流側に形成された貫通部６３と貫通部６３より排出方向Ｄ１下流側の端部に形成されたハンドル部６４とを有し、排出トレイ６が筐体４に収容された状態において、ハンドル部６４は筐体４の内部に収容され、排出トレイ６が筐体４から引き出された状態において、貫通部６３とハンドル部６４とは筐体４の外部に位置し、排出トレイ６は、筐体４を吊り下げた状態で支持する記録装置を提供する。【選択図】図１
2014055065.tif 000002
【特許請求の範囲】
【請求項１】
記録媒体に記録する記録ヘッドと、
筐体に対してスライド可能に備えられ、前記記録ヘッドによって記録され、排出された記録媒体が載置される排出トレイと、を備え、
前記排出トレイは、排出方向下流側に形成された貫通部と前記貫通部より前記排出方向下流側の端部に形成されたハンドル部とを有し、前記排出トレイが前記筐体に収容された状態において、前記ハンドル部は前記筐体の内部に収容され、前記排出トレイが前記筐体から引き出された状態において、前記貫通部と前記ハンドル部とは前記筐体の外部に位置し、前記排出トレイは、前記筐体を吊り下げた状態で支持することを特徴とする記録装置。
【請求項２】
請求項１に記載の記録装置であって、
前記排出トレイが前記筐体に収容された状態において、前記排出トレイは、前記記録媒体が排出される排出口を塞ぐことを特徴とする記録装置。
【請求項３】
請求項２に記載の記録装置であって、
前記排出トレイの厚さは、前記排出方向における下流側に向かって厚くなるように形成されていることを特徴とする記録装置。
【請求項４】
請求項１から請求項３のいずれか一項に記載の記録装置であって、
原稿を読み取るスキャナー部を備え、
前記排出トレイは、前記スキャナー部によって読み取られた前記原稿が排出されて載置されることを特徴とする記録装置。
【請求項５】
記録媒体に印刷するプリンター部と、
前記プリンター部に着脱可能に装着され、表示部と操作部と制御部とを有し、画像を読み取るスキャナー部と、
前記スキャナー部が前記プリンター部に装着されているか離脱しているかを検出する装着状態検出部と、を備え、
前記制御部は、前記装着状態検出部の検出結果により、
前記スキャナー部が前記プリンター部に装着されているときは、前記制御部は、前記スキャナー部を固定して読み取る固定モードにおける、前記表示部による表示出力および前記操作部による操作入力を実行し、
前記スキャナー部が前記プリンター部から離脱しているときは、前記制御部は、前記スキャナー部を移動しながら読み取る移動モードにおける、前記表示部による表示出力および前記操作部による操作入力を実行することを特徴とする記録装置。
【請求項６】
請求項５に記載の記録装置であって、
前記スキャナー部は、加速度センサーを備え、
前記制御部は、前記移動モードにあるとき、画像を読み取りながら前記加速度センサーから角速度を取得し、前記角速度から算出される位置のズレ量に基づいて読み取った画像を補正することを特徴とする記録装置。
【請求項７】
請求項６に記載の記録装置であって、
前記制御部は、前記固定モードにあるとき、前記加速度センサーからの出力情報に基づいて前記スキャナー部の姿勢情報を検出し、検出した前記姿勢情報に基づいて前記表示部に表示する文字を縦書きまたは横書きにすることを特徴とする記録装置。
【発明の詳細な説明】
【技術分野】
【０００１】
本発明は、記録装置に関する。
【背景技術】
【０００２】
ポータブルタイプの記録装置にハンドル部を設け、使用者が記録装置を持ち運ぶときにハンドル部を把持し、記録装置の移動を容易にしたものがある。例えば、特許文献１では、給送用カセットに対して出没可能なハンドル部が設けられ、使用者は、給送用カセットから引き出した状態のハンドル部を持って、記録装置を手から提げた状態で運ぶようにしたものがある。
また、記録装置に原稿を読み取る読取部を備えた小型の記録装置がある。例えば、特許文献２では、ハンディスキャナーを収容する収容部を備えた記録装置が開示されている。
【先行技術文献】
【特許文献】
【０００３】
【特許文献１】特開２００８−１９０１６号公報
【特許文献２】特開平７−３１１８３８号公報
【発明の概要】
【発明が解決しようとする課題】
【０００４】
しかしながら、特許文献１では、ハンドル部を給送用カセットに押し込んだ状態において、ハンドル部が給送用カセットから突出し、記録装置が大型化してしまうという課題がある。また、特許文献２のように、ハンディスキャナーを装着した記録装置では、処理内容や設定条件などを表示するための表示部や、操作内容を使用者が入力するための操作部を、ハンディスキャナーおよび記録装置にそれぞれ設けなくてはならない。そのため、ハンディスキャナーを装着した記録装置においても、記録装置が大型化してしまうという課題がある。
【課題を解決するための手段】
【０００５】
本発明は、上述の課題の少なくとも一部を解決するためになされたものであり、以下の形態または適用例として実現することが可能である。
【０００６】
［適用例１］記録媒体に記録する記録ヘッドと、筐体に対してスライド可能に備えられ、前記記録ヘッドによって記録され、排出された記録媒体が載置される排出トレイと、を備え、前記排出トレイは、排出方向下流側に形成された貫通部と前記貫通部より前記排出方向下流側の端部に形成されたハンドル部とを有し、前記排出トレイが前記筐体に収容された状態において、前記ハンドル部は前記筐体の内部に収容され、前記排出トレイが前記筐体から引き出された状態において、前記貫通部と前記ハンドル部とは前記筐体の外部に位置し、前記排出トレイは、前記筐体を吊り下げた状態で支持することを特徴とする記録装置。
【０００７】
本適用例によれば、排出トレイは、排出方向下流側に形成された貫通部と貫通部より排出方向下流側の端部に形成されたハンドル部とを有し、排出トレイが筐体から引き出された状態において、貫通部とハンドル部とは筐体の外部に位置し、排出トレイは、筐体を吊り下げた状態で支持する。これにより、使用者は、手でハンドル部を把持し、記録装置を手から提げた状態で持ち運ぶことができる。そして、排出トレイが筐体に収容された状態において、ハンドル部は筐体の内部に収容される。そのため、記録装置が大型化することを抑制できる。
【０００８】
［適用例２］前記排出トレイが前記筐体に収容された状態において、前記排出トレイは、前記記録媒体が排出される排出口を塞ぐことを特徴とする上記記録装置。
【０００９】
本適用例によれば、記録装置を使用しないときに排出口から塵や埃が侵入することを抑制できる。また、記録装置の外観上の美観が向上する。
【００１０】
［適用例３］前記排出トレイの厚さは、前記排出方向における下流側に向かって厚くなるように形成されていることを特徴とする上記記録装置。
【００１１】
本適用例によれば、排出トレイが筐体から引き出された状態において、排出トレイの上部に排出口が形成され、排出トレイが筐体に収容された状態において、排出口を塞ぐことができる。
【００１２】
［適用例４］原稿を読み取るスキャナー部を備え、前記排出トレイは、前記スキャナー部によって読み取られた前記原稿が排出されて載置されることを特徴とする上記記録装置。
【００１３】
本適用例によれば、記録媒体を載置する排出トレイと原稿を載置する排出トレイとを兼用できるので、記録装置が大型化することを抑制できる。
【００１４】
［適用例５］記録媒体に印刷するプリンター部と、前記プリンター部に着脱可能に装着され、表示部と操作部と制御部とを有し、画像を読み取るスキャナー部と、前記スキャナー部が前記プリンター部に装着されているか離脱しているかを検出する装着状態検出部と、を備え、前記制御部は、前記装着状態検出部の検出結果により、前記スキャナー部が前記プリンター部に装着されているときは、前記制御部は、前記スキャナー部を固定して読み取る固定モードにおける、前記表示部による表示出力および前記操作部による操作入力を実行し、前記スキャナー部が前記プリンター部から離脱しているときは、前記制御部は、前記スキャナー部を移動しながら読み取る移動モードにおける、前記表示部による表示出力および前記操作部による操作入力を実行することを特徴とする記録装置。
【００１５】
本適用例によれば、スキャナー部に備えられた制御部が、装着状態検出部の検出結果を用いて、固定モードであるか移動モードであるかを判定する。これにより、使用者は、固定モードであるか移動モードであるかを意識することなく、記録装置を使用できる。
【００１６】
［適用例６］前記スキャナー部は、加速度センサーを備え、前記制御部は、前記移動モードにあるとき、画像を読み取りながら前記加速度センサーから角速度を取得し、前記角速度から算出される位置のズレ量に基づいて読み取った画像を補正することを特徴とする上記記録装置。
【００１７】
本適用例によれば、読み取った画像の品質が向上する。
【００１８】
［適用例７］前記制御部は、前記固定モードにあるとき、前記加速度センサーからの出力情報に基づいて前記スキャナー部の姿勢情報を検出し、検出した前記姿勢情報に基づいて前記表示部に表示する文字を縦書きまたは横書きにすることを特徴とする上記記録装置。
【００１９】
本適用例によれば、使用者が表示部に表示された文字を視認しやすい。
【図面の簡単な説明】
【００２０】
【図１】（ａ）は、記録装置の外観斜視図、（ｂ）は、蓋部を開け、排出トレイを引き出した状態における記録装置の外観斜視図。
【図２】（ａ）は、ハンディスキャナーを取り外した状態における記録装置の外観斜視図、（ｂ）は、ハンディスキャナーをタッチパネル側から見た外観斜視図、（ｃ）は、ハンディスキャナーをタッチパネルと反対側から見た外観斜視図。
【図３】（ａ）は、使用者が持ち運ぶ状態における記録装置の外観斜視図、（ｂ）は、ベースキットに備えた記録装置の外観斜視図。
【図４】（ａ）は、突出部が形成された排出トレイの部分を示す斜視図、（ｂ）、（ｃ）は、突出部が形成された排出トレイの部分の断面図。
【図５】記録装置の概略構成を示す模式図。
【図６】記録装置における電気的な概略構成を示すブロック図。
【図７】実施形態２における記録装置の概略構成を示す模式図。
【図８】（ａ）は、実施形態３におけるハンディスキャナーの斜視図、（ｂ）は、実施形態４における記録装置の背面を設置面に当接した状態を示す図、（ｃ）は、記録装置の側面を設置面に当接した状態を示す図。
【発明を実施するための形態】
【００２１】
以下、本発明の実施形態について、図面を参照して説明する。
【００２２】
（実施形態１）
図１（ａ）は、実施形態１に係る記録装置１を正面側から見た外観斜視図である。記録装置１は、プリンター部３と、プリンター部３の筐体４に着脱可能に装着されるスキャナー部としてのハンディスキャナー２とから構成される。ハンディスキャナー２には、表示機能と操作機能を有するタッチパネル２１が備えられる。ハンディスキャナー２の鉛直方向Ｄ３下部には、排出トレイ６がスライド可能に備えられる。
【００２３】
図１（ｂ）は、図１（ａ）の蓋部５を開け、排出トレイ６を引き出した状態における記録装置１の外観斜視図である。蓋部５は、記録装置１の背面側を支点として回動可能に備えられる。図１（ｂ）に示すように、蓋部５が開いた状態では、蓋部５は、記録媒体としての用紙Ｐを載置する用紙サポートとして機能する。
【００２４】
用紙Ｐは、記録装置１の背面に設けられた開口部（不図示）からプリンター部３の内部に給紙され、プリンター部３の内部において記録される。記録された用紙Ｐは、排出口９から排出方向Ｄ１に排出されて排出トレイ６に載置される。
【００２５】
蓋部５が開いた状態では、プリンター部３の上面７が露出する。上面７には、用紙Ｐの幅方向Ｄ２に延びる開口部８が設けられる。原稿（不図示）は、開口部８から使用者によって挿入され、ハンディスキャナー２によって、原稿に描かれた文字や画像が読み取られる。読み取られた原稿は、排出口９から排出方向Ｄ１に排出されて排出トレイ６に載置される。
【００２６】
排出トレイ６における排出方向Ｄ１下流側には、矩形状の貫通部６３が形成される。貫通部６３の排出方向Ｄ１下流側の端部には、ハンドル部６４が形成される。排出方向Ｄ１における貫通部６３の長さＬ１および幅方向Ｄ２における貫通部６３の長さＬ２は、使用者が貫通部６３に親指を除く４本の指を幅方向Ｄ２に並べて挿入することができる長さである。また、ハンドル部６４の排出方向Ｄ１の長さＬ３は、使用者が貫通部６３に４本の指を入れて握ることができる長さである。
【００２７】
排出トレイ６における鉛直方向Ｄ３の厚さは、排出方向Ｄ１下流側に向かって厚く形成されている。すなわち、排出トレイ６の排出方向Ｄ１下流側の端部６２は、排出方向Ｄ１上流側の板状部６１より厚い。
【００２８】
このような構成により、図１（ａ）の排出トレイ６が筐体４に収容された状態において、端部６２によって排出口９を塞ぎ、図１（ｂ）の排出トレイ６が筐体４から引き出された状態において、排出トレイ６の鉛直方向Ｄ３上方に排出口９が形成される。
【００２９】
図２（ａ）は、図１（ｂ）からハンディスキャナー２を取り外した状態における記録装置１の外観斜視図である。筐体４の正面側における幅方向Ｄ２両側の上端部には、固定部１０が形成され、ハンディスキャナー２を筐体４に装着した状態では、ハンディスキャナー２は固定部１０に固定される。ハンディスキャナー２を筐体４から取り外した状態では、固定部１０の鉛直方向Ｄ３下方は、排出トレイ６が露出する。
【００３０】
図２（ｂ）は、ハンディスキャナー２をタッチパネル２１側から見た外観斜視図である。図２（ｃ）は、ハンディスキャナー２をタッチパネル２１と反対側から見た外観斜視図である。図２（ｃ）のハンディスキャナー２のタッチパネル２１と反対側には、ハンディスキャナー２の長手方向に延びるイメージセンサー２２が設けられる。また、イメージセンサー２２の両側には、ハンディスキャナー２の長手方向に延びる駆動ローラー２３，２４が設けられる。
【００３１】
ハンディスキャナー２には、駆動用モーター（不図示）、駆動用モーターの回転駆動力を駆動ローラー２３，２４に伝達したり、伝達しない状態にする切り換え機構（不図示）が備えられる。これにより、駆動ローラー２３，２４を回転駆動させてハンディスキャナー２を自走させる自走モードに設定したり、駆動ローラー２３，２４を自由回転可能な状態にして、使用者がハンディスキャナー２を移動させる手動モードに設定することができる。
【００３２】
図３（ａ）は、使用者が持ち運ぶ状態における記録装置１の外観斜視図である。使用者が記録装置１を持ち運ぶときは、排出トレイ６を筐体４の内部から引き出した状態で運ぶ。使用者は、排出トレイ６に設けられた貫通部６３に手先を入れ、ハンドル部６４を握りながら記録装置１を手から鉛直方向Ｄ３下方に提げた姿勢で持ち運ぶ。
【００３３】
図４（ａ）は、排出トレイ６における突出部６５が形成された部分の斜視図である。図３（ａ）の記録装置１の姿勢における排出トレイ６の下方の端部、すなわち、図１（ｂ）の記録装置１の姿勢では、排出トレイ６の排出方向Ｄ１上流側の両端部には、板状部６１から突出する一対の突出部６５が形成される。
【００３４】
図４（ｂ）、（ｃ）は、突出部６５が形成された排出トレイ６の部分を幅方向Ｄ２から見た断面図である。筐体４には、図面左右方向において、板状部６１の長さより長く、突出部６５の長さより短く、板状部６１が図面上下方向にスライド可能な溝部４２が形成される。また、筐体４には、図面左右方向において、突出部６５より長く、突出部６５が図面上下方向にスライド可能な溝部４１が形成される。
【００３５】
筐体４には、球状部材４５と球状部材４５を図面左右方向に付勢する付勢部材４４が備えられる。図４（ｂ）に示すように、突出部６５は、付勢部材４４の付勢力に反して球状部材４５を押しながらスライドする。
【００３６】
図４（ｃ）に示すように、突出部６５は、溝部４１と溝部４２との境に形成された当接部４３に当接する。突出部６５の図面下側の端部は、球状部材４５によって移動が規制される。
【００３７】
このような構成により、排出トレイ６は、記録装置１を吊り下げた状態で支持することができる。使用者は、排出トレイ６のハンドル部６４を手で握り、記録装置１を手から提げた状態で持ち運ぶことができる。
【００３８】
使用者によって、排出トレイ６を図面下方に押し下げることにより、再び、図４（ｂ）に示すように、突出部６５は、付勢部材４４の付勢力に反して球状部材４５を押しながら、スライドすることができる。
【００３９】
使用者によって、さらに排出トレイ６を図面下方に押し下げることにより、排出トレイ６をロックするロック機構（不図示）が備えられる。使用者が、排出トレイ６を筐体４の内部から引き出すことにより、このロック機構は解除される。
【００４０】
図３（ｂ）は、ベースキット１１に備えた記録装置１の外観斜視図である。ベースキット１１には、充電回路（不図示）が設けられる。記録装置１における、プリンター部３、ハンディスキャナー２には、それぞれ充電式電池（不図示）が備えられる。記録装置１をベースキット１１に装着し、それぞれの充電式電池を充電する。
【００４１】
図５は、記録装置１の概略構成を示す模式図である。蓋部５に載置された用紙Ｐは、給送ローラー１００によって給送される。第１駆動ローラー１０１と第１駆動ローラー１０１に当接し従動回転する従動ローラー１０２、第２駆動ローラー１０６と第２駆動ローラー１０６に当接し従動回転する従動ローラー１０７、第３駆動ローラー１１０と第３駆動ローラー１１０に当接し従動回転する従動ローラー１１１が排出方向Ｄ１の上流側から下流側に向かって並んで備えられる。用紙Ｐは、これらの駆動ローラーと従動ローラーによってニップされ、排出方向Ｄ１に搬送される。
【００４２】
第１駆動ローラー１０１と第２駆動ローラー１０６との間には、幅方向Ｄ２に往復移動するキャリッジ１０３と、キャリッジ１０３に設けられてインクを噴射する記録ヘッド１０４が備えられる。記録ヘッド１０４と対向する位置には、記録ヘッド１０４と搬送される用紙Ｐとの距離を規定し、用紙Ｐを支持する支持部１０５が備えられる。搬送される用紙Ｐに記録ヘッド１０４からインクが噴射されて用紙Ｐに画像が形成される。
【００４３】
第２駆動ローラー１０６と第３駆動ローラー１１０の間には、筐体上部に設けられた開口部８、開口部８から挿入された原稿（不図示）を第３駆動ローラー１１０と従動ローラー１１１とのニップ位置に案内する案内部１０９が設けられる。案内部１０９の下方には、排出方向Ｄ１に搬送される用紙Ｐを案内する案内部１０８が設けられる。
【００４４】
第３駆動ローラー１１０の排出方向Ｄ１下流側には、タッチパネル２１、イメージセンサー２２、駆動ローラー２３，２４を有するハンディスキャナー２が着脱可能に装着される。ハンディスキャナー２が筐体４に装着されているときは、前述した切り換え機構によって、駆動ローラー２３，２４は自由回転可能な状態に設定される。イメージセンサー２２の下方には、搬送される用紙Ｐまたは原稿を支持する支持部１１４が設けられる。
【００４５】
自由回転可能な状態に設定された駆動ローラー２３，２４の下方には、当接して駆動ローラー２３，２４を駆動する第４駆動ローラー１１２、第５駆動ローラー１１３が備えられる。用紙Ｐまたは原稿は、駆動ローラー２３と第４駆動ローラー１１２、駆動ローラー２４と第５駆動ローラー１１３とにそれぞれニップされて排出方向Ｄ１に排出される。排出された用紙Ｐおよび原稿は排出トレイ６に載置される。イメージセンサー２２は、ハンディスキャナー２の下方を搬送する原稿に描かれた画像を読み取る。
【００４６】
図６は、記録装置１における電気的な概略構成を示すブロック図である。プリンター部３におけるプリンター制御部２０１は、キャリッジ１０３を移動させるキャリッジモーター２０２の回転駆動制御、記録ヘッド１０４のインク吐出制御、紙送りモーター２０３の回転駆動制御を行う。
【００４７】
第１駆動ローラー１０１、第２駆動ローラー１０６、第３駆動ローラー１１０、第４駆動ローラー１１２、第５駆動ローラー１１３には、紙送りモーター２０３によって駆動される複数のギアからなるギア機構（不図示）によって駆動力が伝達される。給送ローラー１００は、カムなどを含む切り換え機構（不図示）によって駆動タイミングが設定され、紙送りモーター２０３によって駆動される。
【００４８】
プリンター部３には、ハンディスキャナー２が筐体４に装着されているか、筐体４から離脱しているかを検出するハンディスキャナー検出部２１０が備えられる。プリンター部３には、プリンター側通信部２１１が備えられる。
【００４９】
プリンター部３には、記録装置１の外に配置されたパーソナルコンピューター（ＰＣ）４００と無線通信または有線による通信を行うインターフェイス２１２が設けられる。
【００５０】
ハンディスキャナー２には、発光部２２４、光学系２２３、イメージセンサー２２を備えている。発光部２２４は、イメージセンサー２２の下方にある原稿に描かれた画像を取り込むため、原稿に光を照射する。光学系２２３は、原稿で反射した光を集光するために、ミラー（不図示）とレンズ（不図示）で構成される。
【００５１】
イメージセンサー２２は、光学系２２３により集光された光を光電変換する。スキャナー制御部２２１は、イメージセンサー２２が出力するアナログ信号をＡ／Ｄ変換し、イメージデータとしてデータ格納部２２２に格納する。イメージセンサー２２は、ＣＭＯＳセンサーやＣＣＤセンサーなどから構成される。
【００５２】
ハンディスキャナー２には、駆動ローラー２３，２４の回転方向及び回転数を検出するエンコーダー２２９が備えられている。スキャナー制御部２２１は、エンコーダー２２９の検出に基づいて副走査タイミング信号を発生する。スキャナー制御部２２１は、副走査タイミング信号のパルスを計数し、ハンディスキャナー２の移動量を算出する。
【００５３】
ハンディスキャナー２には、タッチパネル２１が備えられる。タッチパネル２１は、液晶などによって構成される表示部２２８と、表示部２２８を視認できる透明部材で構成される操作部２２７を有する。
【００５４】
表示部２２８には、データ格納部２２２に格納されたイメージデータをサムネイル画像として表示することができる。
【００５５】
ハンディスキャナー２には、プリンター側通信部２１１と通信可能なスキャナー側通信部２２６が備えられる。スキャナー制御部２２１は、プリンター側通信部２１１、スキャナー側通信部２２６、プリンター制御部２０１を介して、ハンディスキャナー検出部２１０の検出結果を取得できる。
【００５６】
記録装置１が有するプリント機能、コピー機能、スキャン機能について説明する。プリント機能は、プリンター制御部２０１が、パーソナルコンピューター４００からインターフェイス２１２を介して印刷用データを受信し、プリンター部３において用紙Ｐに記録する機能である。
【００５７】
コピー機能は、筐体４にハンディスキャナー２が装着された状態、すなわちハンディスキャナー２を固定して読み取る固定モードにおいて実行される。使用者が、表示部２２８に表示出力された内容を見ながら操作部２２７を操作してコピー機能を選択すると、ハンディスキャナー２によって原稿から画像が読み取られ、読み取られたイメージデータは、スキャナー側通信部２２６、プリンター側通信部２１１を介してプリンター部３に送信され、プリンター部３によって記録される。
【００５８】
スキャン機能は、ハンディスキャナー２を筐体４に固定して読み取る固定モードと、ハンディスキャナー２を筐体４から取り外してハンディスキャナー２を移動させながら画像を読み取る移動モードとがある。
【００５９】
スキャン機能における固定モードにおいては、スキャナー制御部２２１は、インターフェイス２１２、プリンター制御部２０１、プリンター側通信部２１１、スキャナー側通信部２２６を介して、パーソナルコンピューター４００から画像の読取指示を受け、原稿の読み取りを行い、読み取ったイメージデータをパーソナルコンピューター４００に送付する。
【００６０】
スキャン機能における移動モードにおいては、使用者が、表示部２２８に表示出力された内容を見ながら操作部２２７を操作すると、ハンディスキャナー２を移動させながら読み取られたイメージデータは、データ格納部２２２に格納される。
【００６１】
データ格納部２２２に格納されたイメージデータを、スキャナー側通信部２２６、プリンター側通信部２１１を介してプリンター部３に送信し、プリンター部３によって記録してもよい。あるいは、スキャナー側通信部２２６、プリンター側通信部２１１、プリンター制御部２０１、インターフェイス２１２を介してパーソナルコンピューター４００に送信してもよい。
【００６２】
スキャン機能において、固定モードにあるときと移動モードにあるときの、表示部２２８に表示出力される表示内容と、操作部２２７に操作入力する内容は異なる。例えば、移動モードにあるときは、ハンディスキャナー２の移動を促すメッセージが表示部２２８に表示されることに対して、固定モードでは、ハンディスキャナー２の移動を促すメッセージを表示しない。また、移動モードでは、操作部２２７において、ハンディスキャナー２の駆動ローラー２３，２４を駆動し自走モードで読み取るか、駆動ローラー２３，２４を自由回転させて読み取るかを選択させる操作入力があるが、固定モードにおいてはそのような操作入力はない。
【００６３】
以上、本実施形態で説明した図５の記録装置１は、用紙Ｐに記録する記録ヘッド１０４と、図１（ｂ）の筐体４に対してスライド可能に備えられ、記録ヘッド１０４によって記録され、排出された用紙Ｐが載置される排出トレイ６と、を備える。排出トレイ６は、排出方向Ｄ１下流側に形成された貫通部６３と貫通部６３より排出方向Ｄ１下流側の端部に形成されたハンドル部６４とを有する。排出トレイ６が筐体４に収容された状態において、ハンドル部６４は筐体４の内部に収容され、排出トレイ６が筐体４から引き出された状態において、貫通部６３とハンドル部６４とは筐体４の外部に位置し、排出トレイ６は、筐体４を吊り下げた状態で支持する。
【００６４】
この構成によれば、使用者は、手でハンドル部６４を把持し、記録装置１を手から提げた状態で持ち運ぶことができる。そして、排出トレイ６が筐体４に収容された状態において、ハンドル部６４は筐体４の内部に収容される。そのため、記録装置１が大型化することを抑制できる。
【００６５】
また、排出トレイ６が筐体４に収容された状態において、排出トレイ６は、用紙Ｐが排出される排出口９を塞ぐ。
【００６６】
これにより、記録装置１を使用しないときに排出口９から塵や埃が侵入することを抑制できる。また、記録装置１の外観上の美観が向上する。
【００６７】
また、排出トレイ６の厚さは、排出方向Ｄ１における下流側に向かって厚くなるように形成されている。
【００６８】
これにより、排出トレイ６が筐体４から引き出された状態において、排出トレイ６の上部に排出口９が形成され、排出トレイ６が筐体４に収容された状態において、排出口９を塞ぐことができる。
【００６９】
また、原稿を読み取るスキャナー部としてのハンディスキャナー２を備え、排出トレイ６は、ハンディスキャナー２によって読み取られた原稿が排出されて載置される。
【００７０】
これにより、用紙Ｐを載置する排出トレイ６と原稿を載置する排出トレイ６とを兼用できるので、記録装置１が大型化することを抑制できる。
【００７１】
図６の用紙Ｐに印刷するプリンター部３と、プリンター部３に着脱可能に装着され、表示部２２８と操作部２２７と制御部としてのスキャナー制御部２２１とを有し、画像を読み取るスキャナー部としてのハンディスキャナー２と、ハンディスキャナー２がプリンター部３に装着されているか離脱しているかを検出する装着状態検出部としてのハンディスキャナー検出部２１０と、を備える。
【００７２】
スキャナー制御部２２１は、ハンディスキャナー検出部２１０の検出結果により、ハンディスキャナー２がプリンター部３に装着されているときは、スキャナー制御部２２１は、ハンディスキャナー２を固定して読み取る固定モードにおける、表示部２２８による表示出力および操作部２２７による操作入力を実行し、ハンディスキャナー２がプリンター部３から離脱しているときは、スキャナー制御部２２１は、ハンディスキャナー２を移動しながら読み取る移動モードにおける、表示部２２８による表示出力および操作部２２７による操作入力を実行する。
【００７３】
この構成によれば、ハンディスキャナー２に備えられたスキャナー制御部２２１が、ハンディスキャナー検出部２１０の検出結果を用いて、固定モードであるか移動モードであるかを判定する。これにより、使用者は、固定モードであるか移動モードであるかを意識することなく、記録装置を使用できる。
【００７４】
（実施形態２）
実施形態２では、用紙Ｐを反転する記録装置について説明する。図７は、実施形態２における記録装置１ａの概略構成を示す模式図である。正面側から方向Ｄ４に用紙Ｐが挿入口３００から使用者によって挿入される。用紙Ｐは、ハンディスキャナー２の駆動ローラー２３，２４、駆動ローラー３０１，３０３にニップされて方向Ｄ４に搬送される。イメージセンサー２２は、ハンディスキャナー２の下方を搬送する原稿に描かれた画像を読み取る。
【００７５】
さらに、用紙Ｐは、駆動ローラー３０４、駆動ローラー３０４に当接して従動回転する従動ローラー３０５、駆動ローラー３０７、駆動ローラー３０７に当接して従動回転する従動ローラー３０８にそれぞれニップされて方向Ｄ５に搬送される。
【００７６】
駆動ローラー３０４と駆動ローラー３０７との間には、記録ヘッド１０４を備えたキャリッジ１０３、記録ヘッド１０４と対向する支持部３０６が備えられる。搬送される用紙Ｐに記録ヘッド１０４からインクが噴射されて用紙Ｐに画像が形成される。
【００７７】
記録装置１ａの背面側には、駆動ローラー３０９、駆動ローラー３０９と当接して従動回転する従動ローラー３１０，３１１が備えられる。用紙Ｐは、駆動ローラー３０９、従動ローラー３１０，３１１にニップされて反転し、案内部３１２に沿って方向Ｄ６に搬送される。用紙Ｐは、排出口３１３から排出されて排出トレイ３１４に載置される。
【００７８】
用紙Ｐを方向Ｄ４，Ｄ５に搬送し、記録ヘッド１０４からインクを噴射させて画像を形成し、用紙Ｐを反転させることなく、方向Ｄ６に搬送し、排出トレイ３１４に載置させた場合には、用紙Ｐの搬送方向Ｄ４（Ｄ５，Ｄ６）の長さは、記録装置１ａの搬送方向Ｄ４の長さによる制約を受ける。
【００７９】
図７を用いて説明した本実施形態の記録装置１ａでは、用紙Ｐを反転させるので、用紙Ｐの搬送方向Ｄ４の長さは、記録装置１ａの搬送方向Ｄ４の長さによる制約を受けることがなく、記録装置１ａの搬送方向Ｄ４の長さより長くできる。
【００８０】
また、使用者は、用紙Ｐを正面側から挿入し、正面側に排出された用紙Ｐを回収することができるので、操作性がよい。また、背面側に用紙を支持する用紙サポートを設けなくてもよいので、記録装置の搬送方向Ｄ４の長さを短くできる。
【００８１】
記録装置１ａの電気的な概略構成は、実施形態１で図６を参照して説明した構成と同じである。
【００８２】
（実施形態３）
実施形態３では、加速度センサーを備えたハンディスキャナー２ａを用いて画像補正を行うことについて説明する。図８（ａ）は、実施形態３におけるハンディスキャナー２ａの斜視図である。ハンディスキャナー２ａの長手方向における両端部には、加速度センサー２５，２６が備えられる。
【００８３】
イメージセンサー２２の主走査毎に、加速度センサー２５，２６から得られた角速度データをＡＤコンバーター（不図示）でアナログ・デジタル変換し、さらに積分処理することにより、角度データに変換し、位置のズレ量を算出する。算出した位置のズレ量に基づいて、イメージセンサー２２によって読み取ったイメージデータを画素単位で補正する。
【００８４】
このようにすれば、読み取ったイメージデータの品質が向上する。実施形態３における記録装置のその他の構成は、実施形態１の記録装置１の構成と同じである。
【００８５】
（実施形態４）
実施形態４における記録装置は、筐体の姿勢を変えても印刷や読取が可能である。図８（ｂ）は、実施形態４における記録装置１ｂの背面を設置面に当接した状態を示す図である。図８（ｃ）は、記録装置１ｂの背面と直交する側面を設置面に当接した状態を示す図である。記録装置１ｂにおける用紙Ｐの搬送経路は、図７を参照して説明した実施形態２の記録装置１ａの構成と同じである。
【００８６】
実施形態４では、ハンディスキャナー２ｂが筐体４に装着された固定モードであるとき、加速度センサーを用いて鉛直方向Ｄ３を算出し、算出した結果に基づいて、表示部２２８に表示する文字を横書きまたは縦書きにする。
【００８７】
図８（ｂ）に示すように、鉛直方向Ｄ３が、用紙Ｐを搬送する方向Ｄ４，Ｄ５，Ｄ６と同じ方向であるときは、スキャナー制御部２２１は、タッチパネル２１の表示部２２８に表示する文字を横書きにする。
【００８８】
図８（ｃ）に示すように、鉛直方向Ｄ３が、用紙Ｐを搬送する方向Ｄ４，Ｄ５，Ｄ６と交わる方向であるときは、スキャナー制御部２２１は、タッチパネル２１の表示部２２８に表示する文字を縦書きにする。
【００８９】
本実施形態のスキャナー制御部２２１は、ハンディスキャナー２ｂが筐体４に装着された固定モードにあるとき、加速度センサーからの出力情報に基づいてハンディスキャナー２ｂの姿勢情報を検出し、検出した姿勢情報に基づいて表示部２２８に表示する文字を縦書きまたは横書きにする。このようにすれば、使用者が表示部２２８に表示された文字を視認しやすい。
【００９０】
実施形態１から実施形態４で説明した記録ヘッド１０４は、幅方向Ｄ２に往復移動するキャリッジ１０３に備えられたが、幅方向Ｄ２に記録可能な記録ヘッドを固定して備えてもよい。
【符号の説明】
【００９１】
１，１ａ，１ｂ…記録装置、２，２ａ，２ｂ…ハンディスキャナー、３…プリンター部、４…筐体、５…蓋部、６，３１４…排出トレイ、９…排出口、２１…タッチパネル、２２…イメージセンサー、２５，２６…加速度センサー、６２…端部、６３…貫通部、６４…ハンドル部、１０４…記録ヘッド、２１０…ハンディスキャナー検出部、２２１…スキャナー制御部、２２７…操作部、２２８…表示部、Ｄ１…排出方向、Ｐ…用紙。
【図１】
2014055065.tif 000003
【図２】
2014055065.tif 000004
【図３】
2014055065.tif 000005
【図４】
2014055065.tif 000006
【図５】
2014055065.tif 000007
【図６】
2014055065.tif 000008
【図７】
2014055065.tif 000009
【図８】
2014055065.tif 000010